(57)【要約】      （修正有）【課題】介助者が片手で身体障害者の胴囲にある紐の縛る箇所を掴ませることができる以外に、別の手で身体障害者の前面や背中の中央部、若しくは、中央その他の両側にある持ち手部を掴み、身体障害者を移動する時更に力を入らせやすい以外に、更に身体障害者の前面や背中の中央部にある持ち手部を掴む時、該手腕でちょうど身体障害者の上半身が把持され、身体障害者の体の重心を更に介助者の体に近付けさせることで、バランスが崩れて転落、又は、ずり落ちる危険発生を大幅に回避できる介助ベルトを提供する。【解決手段】身体障害者の股部を通し、且つ、臀部前後を覆いパンツ状を呈する介助ベルト１であって、２つの側面覆部１１，１２の外側両端に胴囲に縛ることができる紐１４が設けられ、且つ、各側の紐１４と側面覆部１１，１２外側の間の複数の局部部位を縫着させ、該紐の縫着されない数箇所が手部で掴ませることができる持ち手部１５を形成する。【選択図】図５
0003187414.tif 000002
【実用新案登録請求の範囲】
【請求項１】
略三角形を呈し互いに対応して臀部前後を覆うことができる２つの側面覆部と、前記２つの側面覆部間に狭く股部を支えることができる土台部と、前記２つの側面覆部の外側両端に設けられる紐と、前記２つの側面覆部外側の数箇所に設けられる手で掴ませることができる持ち手部と、
を含むことを特徴とする多方向から掴める介助ベルト。
【請求項２】
前記２つの側面覆部の外側両端にある紐は、同じ紐が沿設してからなり、前記各持ち手部が前記紐上の複数の局所部位と前記側面覆部の外側に縫着された後に形成したものとすることを特徴とする請求項１に記載の多方向から掴める介助ベルト。
【請求項３】
前記各持ち手部は、柔らかい帯状布の両端とその中央の複数の局部部位と前記側面覆部の外側に縫着された後で形成したものとすることを特徴とする請求項１に記載の多方向から掴める介助ベルト。
【請求項４】
前記各持ち手部は、別の異なる柔らかい帯状布の両端が前記側面覆部の外側に連続して縫着された後で形成したものとすることを特徴とする請求項１に記載の多方向から掴める介助ベルト。
【考案の詳細な説明】
【技術分野】
【０００１】
本考案は、身体障害者の股部に装着し、且つ臀部前後を覆う２つの側面覆部を備えたパンツのような介助ベルトを形成し、各側の覆部外側箇所の局部に胴囲両側を縛る紐を縫い付け、よって側面覆部と紐の間を介助者の手で掴ませることができる複数の持ち手部を形成し、つまり介助ベルトは身体障害者の腰周囲の異なる箇所を介助者に掴ませることができるよう設けさせることで、介助者が各種異なる方向や角度に力を入れても身体障害者を楽に移動させることが可能となるベルトに関する。
【背景技術】
【０００２】
年齢の積み重ねに伴い、多くのシルバー層は体力が徐々に衰退し、四肢や関節の退化、炎症や痛み等の問題を起こす人もあり、更に様々な慢性疾患により肢体機能に障害が起き、長期間に渡り寝返り介助、起き上がり介助、車椅子の乗降介助、入浴やトイレ介助等が必要とされる人も少なくない。ただし、身体障害者は、四肢に力が入らず、且つ体重も重いため、介助者が手腕だけで移動させようとする時、困難なだけではなく力も入れにくく、しばしば双方が転倒する危険が起き、且つ介助者は常に腰を落として力を入れて身体障害者を移動させようとするため、容易に腰を痛めてしまう。
【０００３】
よって、介助ベルトで身体障害者の移動を行うと、省力の目的を達成できるだけではなく、同時にも体位変換の過程がより一層安全にできる。しかし、従来の介助ベルトは身体障害者に装着した後、その股部が移動過程において極めて大きく、且つ集中してしまいきつくて圧迫感が生じ、容易に患者の股部に不快感を感じさせ、更に摩擦、青あざ等ができる。
【０００４】
図１に示す従来の身体障害者移動を補助する介助ベルトは、主に軟性素材で製造され、２枚の対向設置された三角形側面覆部１１、１２を覆う布体で、且つ２つの側面覆部１１、１２の間に幅が狭い土台部１３が設けられ、各側の側面覆部１１、１２の両外側に紐１４が設けられる。土台１３を患者両足間の股部に装着することにより、２つの側面覆部１１、１２が身体障害者の腹部と臀部を覆ってから各側の紐１４で身体障害者の胴囲両側を縛り、介助ベルトをパンツのように身体障害者に装着させる。
【０００５】
よって、介助者は両手で側面覆部１１、１２両側の紐１４を各々掴むと、身体障害者の臀部を持ち上げて体位変換や移動を便利にできることで、身体障害者のベッド乗降（図２）、歩行（図３）、車椅子へ乗る（図４）或いは入浴を補助し、同時に該軟性素材の介助ベルトは接触摩擦と圧迫の不快感を軽減できる。
【０００６】
しかしながら、介助者は、身体障害者の胴囲両側を掴むことができるだけで、力を入れることが困難で、図２に示すように身体障害者の両手に力がなく介助者の首に手を回すことができない時、身体障害者の胴囲を掴むだけに依存すると、身体障害者の体のバランスが全くとれず、身体障害者の体の重心が後ろに傾いて落ちてしまう。若しくは図３に示すように、介助者も身体障害者の胴囲両側を掴むだけで、身体障害者の体の重心が前へ倒れた時、同様に介助者がバランスを制御しにくく、更にバランスが崩れて転倒するという危険が生じてしまう。
【０００７】
介助者も介助ベルトの後側或いは前側上方の中央部を手で掴むことができるが、介助ベルトの後側或いは前側上方の中央部を介助者に確実に掴ませることができる設計ではなく、よって滑り易くなり、更に身体障害者がずり落ちる又は転倒する危険が起きやすい。
【０００８】
次に、身体障害者が介助ベルトを装着した後、その胴囲両側のみを介助者が確実に掴まえることができる。しかし、介助者は、前面又は背面ではなく異なる角度から身体障害者を支える或いは移動させる時、介助者にとって一番掴み良い箇所が、身体障害者の胴囲両側ではなく、他の位置である場合、介助者にとって極めて不便及び力を入れにくいことになる。
【考案の概要】
【考案が解決しようとする課題】
【０００９】
そこで、上記介助ベルトの操作において力を入れにくいと共にバランスが崩れる等の問題を改善するため、本考案は、パンツのように身体障害者に装着でき、身体障害者の胴囲に設ける紐に数箇所の介助者の手で掴ませることができる持ち手部を設けることで、介助者が望む方向に応じて身体障害者を持ち上げて移動させることができる以外に、更に適した位置の持ち手部を掴んで介助者の腕で身体障害者の上半身を抱かせて身体障害者の体のバランスをとり、身体障害者を更に安全で、楽に移動させることが可能となる介助ベルトを提供する。
【課題を解決するための手段】
【００１０】
本考案は、略三角形を呈し互いに対応して臀部前後を覆うことができる２つの側面覆部と、２つの側面覆部間に狭く股部を支えることができる土台部と、２つの側面覆部の外側両端に設けられる紐と、２つの側面覆部外側の数箇所に設けられる手で掴ませることができる持ち手部と、を含む。
【００１１】
上記技術的思想において、該２つの側面覆部の外側両端にある紐は、同じ紐が沿設してからなり、各持ち手部が紐上の複数の局所部位と側面覆部の外側に縫着された後に形成したものとする。
【００１２】
上記技術的思想において、該各持ち手部は、柔らかい帯状布の両端とその中央の複数の局部部位と側面覆部の外側に縫着された後で形成したものとする。
【００１３】
上記技術的思想において、該各持ち手部は、別の異なる柔らかい帯状布の両端が側面覆部の外側に連続して縫着された後で形成したものとする。
【考案の効果】
【００１４】
よって、上記本考案の介助ベルトを身体障害者に装着して体位変換や移動させる時、望んだ方向や角度に応じて、介助者が身体障害者の持ち上げと移動に便利となる以外に、更に介助者のいずれかの手で身体障害者の胴囲側の紐で縛ってある箇所をつかみ、別の手で身体障害者の前面或いは背中の中央部、又は中央部その他の両側にある持ち手部を掴み、該手腕で身体障害者の上半身を抱き寄せることで、介助者が力を入れやすくなるだけではなく、且つ身体障害者の体のバランスをとることができるため、身体障害者を更に安全で、楽に移動させることが可能となる。
【図面の簡単な説明】
【００１５】
【図１】従来の介助ベルト構造を示す図である。
【図２】従来の介助ベルトで身体障害者の移動を補助する様子を示す図である。
【図３】従来の介助ベルトで身体障害者の歩行を補助する時の様子を示す図である。
【図４】従来の介助ベルトで身体障害者の車椅子の乗降の様子を示す図である。
【図５】本考案に係わる介助ベルト構造を示す図である。
【図６】本考案に係わる実施例２の介助ベルト構造を示す図である。
【図７】本考案に係わる実施例２の介助ベルト構造を示す図である。
【図８】本考案に係わる介助ベルトで身体障害者の移動を補助する様子を示す図である。
【図９】本考案に係わる介助ベルトで身体障害者の歩行を補助する時の様子を示す図である。
【考案を実施するための形態】
【００１６】
図５に示すように装着後パンツ状を呈する介助ベルト１は、互いに対応して略三角形を呈する２つの側面覆部１１、１２と、且２つの側面覆部１１、１２の間に形成される狭い土台部１３と、２つの側面覆部１１、１２外側の局部部位に縫い付けられた両端が外部へ延伸する紐１４と、各側面覆部１１、１２とその紐１４において上記局部部位の縫着手法を通じて２つごとの局部縫付の間に持ち手部１５が形成され、よって両者間の数箇所に形成された手で掴むことができる持ち手部１５と、を含む。
【００１７】
その他、上記実施例の介助ベルト１の持ち手部１５は、一本の紐１４と側面覆部１１、１２外側の局部部位に縫い付けられて形成する。ただし、図６に示すようにもでき、つまり該介助ベルト１の紐１４が２つの側面覆部１１、１２外側の両端に縫い付けられ、且つ２つの側面覆部１１、１２の外側にも別の柔らかい帯状布が縫い付けられ、同時に該柔らかい帯状布上の局部部位を２つの側面覆部１１、１２と縫着し、柔らかい帯状布上の数箇所にも同じように手で掴ませることができる持ち手部１５が形成される。
【００１８】
若しくは、図７に示すように、該介助ベルト１の紐１４も同様に２つの側面覆部１１、１２の外側両端に縫い付けられ、その上の各持ち手部１５は短く異なる柔らかい帯状６布が連続して２つの側面覆部１１、１２の外側に縫い付けられ、つまり２つの側面覆部１１、１２の外側の上に数箇所の手で掴ませることができる持ち手部１５が形成される。
【００１９】
よって、身体障害者が該介助ベルト１を装着した後、その胴囲両側にある紐１４を縛った後、介助ベルト１は身体障害者の胴囲両側にある紐１４で縛った箇所を介助者の手で掴ませることができる以外、更に身体障害者の腰部前後の異なる角度や位置も介助者の手で掴ませることができる持ち手部１５を有し、つまり図８に示すように介助者は、片手で身体障害者が装着している介助ベルト１の胴囲にあるいずれかの一側をしっかり掴み、身体障害者身は介助者の首に両腕を回し、同時に介助者の別の手で身体障害者の背中を通り介助ベルト１後側中央の持ち手部１５を掴み、こうすると、介助者が身体障害者の臀部を力を入れて持ち上げやすく、身体障害者を更に楽に移動させることが可能となる。
【００２０】
ただし、身体障害者が両腕を介助者に回す力がない時、更に上記介助者の手で身体障害者背中の中央部にある持ち手部１５を掴みながら介助者の腕で身体障害者の上半身を保持し、身体障害者の体を更に介助者の体に近寄らせ、つまり身体障害者の体の重心を介助者の後ろへ移し、介助者が身体障害者を移動や運ぶ時、２人の重心が互いに近くなることでより一層バランスを取りやすくなり、身体障害者の体位変換や移動を更に安全になってずり落ちや、転倒の危険を避けることができる。
【００２１】
若しくは図９に示すように、身体障害者を支えて歩行練習するリハビリの時、介助者は、片手で身体障害者に装着している介助ベルト１の胴囲一側にある紐１４を掴む以外に、別の手でも同様に身体障害者の他側から前面を通して中央又は略外側の持ち手部１５を掴み、介助者の該腕で身体障害者の上半身を保持できる。よって、身体障害者を支えるという目的を達成できる以外に、同時に身体障害者の上半身のバランスをも取らせやすいため、歩行のリハビリ練習がより一層スムーズに進み、同時に介助者の身体障害者に対する保護を更に向上させる。
【００２２】
よって、上記本考案に係わる介助ベルト１は、身体障害者が装着した後、腰部周囲の異なる角度の各部位を介助者の手で掴ませることができる持ち手部１５を有し、介助者は身体障害者を異なる方向から掴むことと更に適した位置から力を入れることができるため、身体障害者の移動或いは支えるため全面的な力を入れると共に安全な移動の目的を達成できる。
【符号の説明】
【００２３】
１ 介助ベルト
１１ 側面覆部
１２ 側面覆部
１３ 土台部
１４ 紐
１５ 持ち手部
【図１】
0003187414.tif 000003
【図２】
0003187414.tif 000004
【図３】
0003187414.tif 000005
【図４】
0003187414.tif 000006
【図５】
0003187414.tif 000007
【図６】
0003187414.tif 000008
【図７】
0003187414.tif 000009
【図８】
0003187414.tif 000010
【図９】
0003187414.tif 000011